(57)【特許請求の範囲】
【請求項１】
空気の吸入を行う吸入手段と、
前記空気を導き入れる吸入孔が前記吸入手段を臨むようにして形成されたカバー部材と、
前記吸入手段が収納され、当該吸入手段により吸入された空気を外部へ導く導通路が形成された本体ケースとを有し、
前記吸入孔の周縁部は、表面より湾曲凸部をなすベルマウス構造により形成され、
前記湾曲凸部の裏面には、前記ベルマウス構造により前記吸入手段との間に形成された空間を仕切る仕切部材が設けられ、
該仕切部材は、前記吸入孔の径方向に向けて前記湾曲凸部の裏面に立設されたリブであること
を特徴とする送風装置。
【請求項２】
前記仕切部材は、前記周縁部の周方向に沿って前記湾曲凸部の裏面に立設されたリブであること
を特徴とする請求項１に記載の送風装置。
【請求項３】
前記仕切部材は、前記湾曲凸部の裏面であって前記導通路の出口側寄りの位置に形成されること
を特徴とする請求項１または請求項２に記載の送風装置。
【請求項４】
前記吸入手段は、回転軸が前記吸入孔を臨む多翼ファンであることを特徴とする請求項１乃至請求項３のいずれか１項に記載の送風装置。
【発明の詳細な説明】
【技術分野】
【０００１】
本発明は、吸入孔が形成されたカバー部材と、吸入孔を介して空気を吸入する吸入手段と、吸入手段を収納するとともに吸入手段により吸入された空気を外部へ導き出すための導通路が形成される本体ケースとを有する送風装置に関する。
【背景技術】
【０００２】
一般的な建物には、屋内換気等を行うための送風装置が設置されている。一般的な送風装置では、空気を吸収するための吸収手段としてシロッコファン等の多翼ファンが多く用いられている。シロッコファンは、周縁部に複数の翼が配設された円盤状のファンを回転させることによって、回転中心から周方向へと空気を吸入する構造となっている。シロッコファンを使用した送風装置は、その構造から設備の厚み（高さ）を低くすることができるため、装置本体をコンパクトに設計することが容易であるという特徴を有している。（例えば、特許文献１参照）。
【特許文献１】特開２００４−３４０４０７号公報（第４−６頁、第１図）
【発明の開示】
【発明が解決しようとする課題】
【０００３】
しかしながら、シロッコファンを使用した送風装置では、ファンカバーやファンケース等のファン用のカバー部材に形成された吸入孔近傍で騒音が発生しやすいという特徴と有している。このため、吸入孔近傍の騒音を低減させるために、吸入孔周縁部をシロッコファン側へと湾曲させたベルマウス構造とする方法が多く用いられている。
【０００４】
例えば、吸入孔近傍に障害物等が付着（存在）した場合には、吸入孔を通過する気流が障害物等により乱れてしまうおそれがある。気流に乱れが生じると、乱れた空気の流れがシロッコファンの翼に衝突してファン内部で空気の渦や剥離を生じ、騒音を発生させてしまうおそれがあった。
【０００５】
このため、ベルマウス構造を有する吸入孔周縁部（以下、ベルマウス部という）の湾曲面により、吸入された空気をシロッコファンへと円滑に案内することによってファン内部での渦や剥離を低減させ、騒音の抑制を図っている。
【０００６】
従って、ベルマウス部の曲率をできるだけ大きくすることによって、空気の流れをより円滑に誘導することが好ましいが、曲率を大きくするとベルマウス部の裏面側に空間が形成されやすくなり、この空間に入り込んだ空気の渦がファンの翼に衝突してバサバサ音を発生させるおそれがあるという問題が生じていた。
【０００７】
本発明は、上記問題に鑑みてなされたものであり、吸入孔周縁部におけるベルマウス構造の湾曲率を十分に確保しつつ、吸入孔周縁部における騒音の発生を抑制することが可能な送風装置を提供することを課題とする。
【課題を解決するための手段】
【０００８】
上記課題を解決するために、本発明に係る送風装置は、空気の吸入を行う吸入手段と、前記空気を導き入れる吸入孔が前記吸入手段を臨むようにして形成されたカバー部材と、前記吸入手段が収納され、当該吸入手段により吸入された空気を外部へ導く導通路が形成された本体ケースとを有し、前記吸入孔の周縁部は、表面より湾曲凸部をなすベルマウス構造により形成され、前記湾曲凸部の裏面には、前記ベルマウス構造により前記吸入手段との間に形成された空間を仕切る仕切部材が設けられることを特徴とする。
【０００９】
また、前記仕切部材は、前記吸入孔の径方向に向けて前記湾曲凸部の裏面に立設されたリブであってもよい。
【００１０】
さらに、前記仕切部材は、前記周縁部の周方向に沿って前記湾曲凸部の裏面に立設されたリブであってもよい。
【００１１】
また、前記仕切部材は、前記湾曲凸部の裏面であって前記導通路の出口側寄りの位置に形成されるものであってもよい。
【００１２】
なお、湾曲凸部の裏面であって前記導通路の出口側寄りの位置とは、導通路の後端部を形成し得る舌状壁部の先端部を基準として、裏面から見た状態で舌状壁部の先端位置付近から反時計回りに約１８０度程までの周縁部の裏面を意味するものとする。
【００１３】
さらに、前記吸入手段が、回転軸が前記吸入孔を臨む多翼ファンであってもよい。
【発明の効果】
【００１４】
本発明に係る送風装置では、吸入孔の周縁部に表面より湾曲凸部をなすベルマウス構造により形成されているので、この湾曲凸部の湾曲面に沿って空気を吸入手段で吸入しやすくなり、騒音の発生を低減させることが可能となる。
【００１５】
また、本発明に係る送風装置では、湾曲凸部の裏面に仕切部材が設けられているので、湾曲凸部の湾曲面に沿って吸入手段へと導かれた空気が、湾曲凸部の裏面と吸入手段との間に形成された空間に流れ込むことを防止することができる。このため、吸入孔周縁部の湾曲面に沿って吸入手段へと導かれた空気は、湾曲凸部の裏面で空気の渦を生ずることなく円滑に吸入手段へと導入されるので、バサバサ音等の騒音の発生を抑制することが可能となる。
【００１６】
特に、仕切部材として、吸入孔の径方向に向けて湾曲凸部の裏面にリブを立設させることによって、周縁部の裏面空間を周方向へ巡るようにして流れる渦の発生を防止することができるので、騒音発生をより一層低減させることができる。
【００１７】
また、仕切部材として、周縁部の周方向に沿って湾曲凸部の裏面にリブを立設させることによって、湾曲凸部の裏面空間に対して断面方向に流れ込む渦の発生を防止することができるので、騒音発生をより一層低減させることができる。
【００１８】
さらに、仕切部材が湾曲凸部の裏面であって導通路の出口寄りの位置に形成される場合には、空気が合流して流速が最も速くなり乱れが生じやすい部分に仕切部材が形成されることとなるため、より効果的に騒音の抑制を図ることが可能となる。
【００１９】
また、吸入手段として多翼状のファンが用いられる場合には、ファンの翼端部が裏面の空間に入り込んだ空気の渦に衝突してバサバサ音を発生させやすいので、本発明に係る送風装置を用いることによって顕著な騒音低減効果を奏することが可能である。
【発明を実施するための最良の形態】
【００２０】
以下、本発明に係る空調装置を浴室空調装置として使用する場合について説明を行う。
【００２１】
図１は、浴室空調装置を示した斜視図であり、図２は、浴室空調装置を示す側方断面図である。浴室空調装置１は、ファンユニット（送風手段）２と、本体ケース３と、ダンパー４と、ファンカバー（カバー部材）５と、ヒータ６と、フロントパネル７とを有している。
【００２２】
ファンユニット２は、ファンモータ８とシロッコファン９とを有している。シロッコファン９は、円盤状の主板９ａの周縁部に複数の翼９ｂが配設されたものであり、主板９ａの中心にはファンモータ８の回転軸８ａが固定される。ファンモータ８の駆動により回転軸８ａに駆動力が加えられると、シロッコファン９が回転軸８ａとともに回転し、主板９ａ前方の空気をシロッコファン９の翼９ｂを介してシロッコファン９の側方へと吸入する。
【００２３】
本体ケース３は、下方に解放された開口を有す箱体であり、ファンユニット２を設置するためのファン収納部１２と、ダンパー４を収納するためのダンパー収納部１３とが形成されている。
【００２４】
ファン収納部１２は、シロッコファン９の直径よりも拡径の略円柱状凹所であり、ファンモータ８を本体ケース３の上面部に設置し、ファン収納部１２の中心に形成される開口より回動軸８ａを突出させた状態でシロッコファン９をファン収納部１２に収納することによって、シロッコファン９の主板９ａ中心を回動軸８ａの先端に固定する構造となっている。
【００２５】
ファン収納部１２の側壁面１２ｂとシロッコファン９の外周側９ｃとの間には、吸入された空気をダンパー収納部１３へと導くための導通路２０が形成されている。
【００２６】
ダンパー収納部１３は、ダンパー４を回動自在に収納することが可能な凹所となっており、ダンパー収納部１３の下方向には、後述するヒータ６が設置される。また、ダンパー収納部１３の側壁にはダンパー収納部１３に導かれた空気を浴室外に排出するための排気口１６が設けられている。
【００２７】
ダンパー４は、平面視略長方形状を呈し、図２に示すように側方視で中央部が上側凸状となる緩やかな湾曲形状を有している。ダンパー４の下端部には軸４ａが形成されており、この軸４ａの両端はダンパー収納部１３の側壁に回動自在に軸支される。また、ダンパー４の下面にはリブ４ｂが形成されており、このリブ４ｂには浴室空調装置１の運転モードに応じて回動されるカム１８の突起部１９を案内するガイド孔４ｃが形成されている。カム１８が回動するとその回動角度に応じて突起部１９の停止位置が変化してダンパー４の回動角度の調整が行われる。
【００２８】
ファンカバー５は、図１、図２に示すように、本体ケース３の下面を覆うようにして設置される。ファンカバー５には、シロッコファン９の中心部へ空気を導くための吸入孔５ａと、ダンパー収納部１３へと運ばれてきた空気を屋内へ循環させるための吹出孔５ｂとが形成されている。吸入孔５ａはシロッコファン９の主板９ａ正面を臨むようにして形成された円形状の開口であり、吹出孔５ｂはダンパー収納部１３を臨むようにして形成される略四角形状の開口である。このファンカバー５が本体ケース３の下面に設置されることにより、導通路２０の下面がファンカバー５によって構成されることとなる。
【００２９】
ファンカバー５の吸入孔５ａの周縁部は、図３、図４に示すように、ベルマウス構造によって形成されており、開口周縁部が浴室側（表面側）に房出して湾曲凸部が形成され、その端部がシロッコファン９側に傾斜（湾曲）した湾曲面６０によって構成されている（以下、ベルマウス構造を有する吸入孔５ａの開口周縁部（湾曲凸部）をベルマウス部６１とする）。
【００３０】
ベルマウス部６１の裏面は、図４（ａ）に示すように、表面側の湾曲面６０に対応するようにして湾曲しており、裏面側の湾曲面６０ａによって半球断面を呈する円環状の空間６０ｂが形成されている。さらにこの空間６０ｂには、図４（ａ）（ｂ）に示すように、ベルマウス部６１の径方向に向かって立設されるリブ６２が仕切部材として形成されている。
【００３１】
リブ６２は、ベルマウス部６１の裏面であって導通路２０の出口寄りの位置、具体的には、図４（ｂ）に示すように、導通路２０のとダンパー収納部１３との境界を形成する舌状壁部６４の先端部を基準として、舌状壁部６４の先端位置付近から反時計回りに約１８０度程の位置までのベルマウス部６１裏面に等間隔に９個設けられている。
【００３２】
さらにベルマウス部６１の裏面には、ベルマウス部６１と等環径を成し、ベルマウス部６１の周方向に沿って立設される半環状のリブ６３が並設されたリブ６２を連結するようにして形成されている。リブ６２およびリブ６３の高さは、ベルマウス部６１裏面の空間６０ｂの高さ（深さ）と同じ高さになっており、リブ６２およびリブ６３の厚みは、０．５ｍｍ〜３．０ｍｍとなっている。
【００３３】
ファンカバー５の吹出孔５ｂには、ヒータ６が設置されている。ヒータ６には、ＰＴＣ（Positive Temperature Coefficien）ヒータが用いられている。ＰＴＣヒータは、温度によって抵抗値が変化する抵抗変化特性を備えており、温度が既定値（キュリー温度）以上となった場合に急激に抵抗値を増加させて電気の流れを抑制し、ヒータの温度を一定温度範囲に保つ構造となっている。
【００３４】
ファンカバー５が設置された本体ケース３の下面には、フロントパネル７が設置されている。フロントパネル７には、ファンカバー５の吸入孔５ａに対応する位置に吸入口３０が形成され、さらにファンカバー５の吹出孔５ｂに対応する位置に吹出口１５が形成されている。吸入口３０には、埃の吸入を防止するためのフィルタ３１が着脱可能に取り付けられている。浴室空調装置１は、本体ケース３を天井裏方向に突出させるようにして天井面３３に固定され、フロントパネル７だけを浴室の天井面３３に露呈させた状態で浴室に設置される。
【００３５】
次に、このようにして構成される浴室空調装置１が稼働する場合について説明する。
【００３６】
浴室空調装置１を動作させる場合、ユーザーは浴室の脱衣所等に設置される操作パネル５０（図５参照）を操作することによって運転モードの選択を行う。具体的には、浴室の暖房を行う暖房モード、浴室の換気を行う換気モード、浴室内を乾燥室として図示しないランドリーパイプを配置して衣類等を乾燥させる乾燥モード、浴室に涼風を導き入れる涼風モードを選択する。さらにマンション等の２４時間換気を行う必要がある建物では、浴室空調装置１の運転モードが選択されていない場合に２４時間換気モードの運転が行われる。
【００３７】
なお、浴室空調装置１を暖房モードで動作させることによって、浴室内をあらかじめ暖めておくこと（いわゆる予備暖房）ができるので、浴室開始時に入浴者（ユーザー）が寒さを感じることなく快適に入浴を行うことが可能となる。また、入浴の最中に浴室内に吹き出す温風量を小さくして浴室を暖めること（いわゆる入浴暖房）によって、洗い場で体を洗う場合等においても入浴者が寒さを感じることなく快適に入浴を行うことができる。
【００３８】
また、浴室空調装置１を換気モードで動作させることによって、浴室内にランドリーパイプ等を設置して浴室内に吊した衣類の乾燥を行うことが可能となる。
【００３９】
さらに、浴室空調装置１を換気モードで動作させることにより、浴室内の湿気を積極的に屋外へ排出することができるので、浴室におけるカビの発生等を抑制することが可能となる。
【００４０】
また、浴室空調装置１を涼風モードで動作させることにより、浴室内に常温の風を送り込むことができるので、夏などには浴室空調装置を扇風機のように使用することができる。
【００４１】
なお、２４時間換気モードによる運転が行われると、建物の内装材より放散されるおそれのあるホルムアルデヒド等の揮発性有機化合物を効率的に屋外へ排出させることが可能となる。この２４時間換気機能は居室を有する建物において設置が義務づけられるものである。
【００４２】
ユーザーにより運転モードの選択が行われると、図５に示すように、選択された運転モード情報が浴室空調装置１に設置される制御部５１に伝達される。制御部５１では、選択された運転モードに応じてカム駆動用モータ５２を駆動させてカム１８の回動角度を制御し、ダンパー４の回動位置を全開、半開、全閉のいずれかに調整する。さらに制御部５１は、選択された運転モードに応じて、ファンユニット２のファンモータ８を駆動させてシロッコファン９の回転速度を強、弱のいずれかに調整するとともに、ヒータ６のＯＮ／ＯＦＦ制御を行う。
【００４３】
なお、ダンパー４の回動位置が全閉の状態とは、図２に示すように、排気口１６を塞ぐ位置にダンパー４を回動させて導通路２０を流れてくる空気を吹出口１５へと導く状態（図２の矢印Ａから矢印Ｂに示す空気の流れ参照）を意味し、全開の状態とは、図６（ａ）に示すように、吹出口１５を塞ぐ位置にダンパー４を回動させて導通路２０を流れてくる空気を排気口１６へと導く状態（図６（ａ）の矢印Ａから矢印Ｃに示す空気の流れ参照）を意味し、半開の状態とは、導通路を通って流れてくる空気を、吹出口１５と排気口１６との両方に導くために、ダンパー４を図６（ｂ）に示す中間位置に回動させた状態（図６（ｂ）の矢印Ａから矢印Ｂおよび矢印Ａから矢印Ｃに示す空気の流れ参照）を意味する。
【００４４】
次に、浴室空調装置１の稼働動作を運転モード毎に分けて説明する。
【００４５】
＜暖房モードの場合＞
ユーザーにより暖房モードの設定が行われると、制御部４１は、図２に示すように、ダンパー４を全閉位置に回動させるとともに、シロッコファン９の回転速度を強に設定し、ヒータ６をＯＮにする。シロッコファン９の回転速度が強に設定されると、シロッコファン９の回転に伴って吸入口３０より浴室内の空気が本体ケース３内へと吸入される。
【００４６】
浴室内の空気が本体ケース３内に吸入されるとき、吸入口３０を通過した空気は、図４（ａ）に示すように、吸入孔５ａのベルマウス部６１の湾曲面６０に沿ってシロッコファン９へと導かれる。
【００４７】
ベルマウス部６１の裏面にリブ６２およびリブ６３が形成されていない場合、湾曲面６０に沿ってシロッコファン９へと導かれた空気が、図４（ａ）に示す鎖線状矢印Ｃのように、ベルマウス部６１の裏面側の空間６０ｂへと流れ込んで空気の渦（断面方向への渦と、シロッコファン９の回転に伴う水平方向（ベルマウス部６１の周方向）の渦）を発生させてしまい、この空気の渦がシロッコファン９の翼９ｂの下端部と衝突してバサバサ音を発生させていた。
【００４８】
一方で、本実施形態に示すベルマウス部６１のように、ベルマウス部６１の裏面にリブ６２およびリブ６３が形成されている場合、ベルマウス部６１の湾曲面６０に沿ってシロッコファン９へと導かれた空気は、リブ６３によってベルマウス部６１の裏面側への流れが妨げられることとなり、図４（ａ）の矢印Ｃのような渦の発生が抑制される。
【００４９】
さらに、ベルマウス部６１にはリブ６２が形成されているため、シロッコファン９の回転に伴ってベルマウス部６１の裏面側の空間６０ｂで発生し得る周方向への流れによる渦（水平方向の流れによる渦）をも抑制することが可能となる。このため、ベルマウス部６１の端部よりシロッコファン９へと流れ込む空気は、ベルマウス部６１の裏面の空間６０ｂで渦を発生させることなくシロッコファン９の翼９ｂ側部へと導かれ、シロッコファン９により導通路２０へと導かれる（図４（ａ）の矢印Ｄ参照）。
【００５０】
このように、ベルマウス部６１の湾曲面６０に沿ってシロッコファン９へと導かれた空気は、空気の渦を生ずることなく円滑に導通路２０へ導かれるため、バサバサ音等の騒音の発生を抑制させつつ空気を装置内部へと導入することが可能となる。
【００５１】
また、ベルマウス部６１が、ファンカバー５の表面より隆起して凸状を成す湾曲凸部となっているので、浴室内の空気を湾曲凸部の湾曲面６０に沿って吸入しやすくなり、さらに騒音の発生を低減させることが可能となる。
【００５２】
特に、リブ６２およびリブ６３は、図４（ａ）に示すように、ベルマウス部６１の裏面であって導通路２０の出口側寄りの位置に設置されている。導通路２０の出口寄りの位置は、導通路２０によって導かれた空気が合流し、流速が最も速い場所でもあるため、シロッコファン９により導入される空気に乱れが生じやすい箇所である。このため、導通路２０の出口側寄りの部分にリブ６２およびリブ６３を設けることによって、より効果的に騒音の発生を低減させることが可能となる。
【００５３】
吸入された空気は、シロッコファン９の翼９ｂの間を通って導通路２０へと案内され、その後ダンパー収納部１３へと導かれる。ダンパー収納部１３では、ダンパー４が全閉位置に回動されているため、図２に示すように、ダンパー４によって排気口１６が塞がれた状態となる。このため、ダンパー収納部１３へと導かれた空気は、ダンパー４の下面４ｅに沿って下方向へと空気の流れ方向を変更させてヒータ６へと流れて行く。
【００５４】
ヒータ６へと流れてきた空気は、ヒータ６により暖められて温風とされた後に、浴室へと吹き出され、浴室内の暖房が行われる。
【００５５】
＜換気モードおよび２４時間換気の場合＞
ユーザーにより換気モードの設定が行われると、制御部４１は、図６（ａ）に示すように、ダンパー４を全開位置に回動させるとともに、シロッコファン９の回転速度を強に設定し、ヒータ６をＯＦＦにする。シロッコファン９の回転速度が強に設定されると、シロッコファン９の回転に伴って吸入口３０より浴室内の空気が本体ケース３内に吸入される。
【００５６】
浴室内の空気が本体ケース３内に吸入されるとき、吸入口３０を通過した空気は、図４（ａ）に示すように、吸入孔５ａのベルマウス部の湾曲面６０に沿ってシロッコファン９へと導かれる。このとき、ベルマウス部６１の裏面にはリブ６３が形成されているので、湾曲面６０に沿ってシロッコファン９へと導かれた空気は、リブ６３によってベルマウス部６１の裏面側への流れを妨げられることとなり、渦の発生が抑制される。
【００５７】
さらに、ベルマウス部６１にはリブ６２が形成されているため、シロッコファン９の回転に伴ってベルマウス部６１の空間６０ｂを巡るようにして発生し得る水平方向の渦の流れをも抑制することができる。このため、ベルマウス部６１の端部よりシロッコファン９へと流れ込む空気は、ベルマウス部６１の裏面に流れ込むことなくシロッコファン９の翼９ｂ側部へと導かれ、シロッコファン９を介して導通路２０へと導かれる（図４（ａ）の矢印Ｄ参照）。
【００５８】
このように、ベルマウス部６１の湾曲面６０に沿ってシロッコファン９へと導かれた空気が、空気の渦を生ずることなく円滑に導通路２０に導かれるため、バサバサ音等の騒音の発生を抑制させつつ空気を装置内部へと導入することが可能となる。
【００５９】
また、ベルマウス部６１が、ファンカバー５の表面より隆起して凸状を成す湾曲凸部となっているので、浴室内の空気を湾曲凸部の湾曲面６０に沿って吸入しやすくなり、さらに騒音の発生を低減させることが可能となる。
【００６０】
さらに、リブ６２およびリブ６３は、導通路２０の後側出口寄りの部分に設置されているため、流速が速い導通路２０の通路後側部分においても、効果的に騒音の発生を低減させることが可能となる。
【００６１】
シロッコファン９の翼９ｂの間を通って導通路２０へと案内された空気は、ダンパー収納部１３へと導かれる。
【００６２】
ダンパー収納部１３では、ダンパー４が全開位置に回動されているため、図６（ａ）に示すように、ダンパー４の先端がファンカバー５に当接し、ダンパー４により吹出口１５が塞がれた状態となる。このため、ダンパー収納部１３へと導かれた空気は、ダンパー４の上面４ｄ側の空間へと流れ込み、排気口１６から浴室外へと排出される。
【００６３】
なお、２４時間換気を行う場合、制御部４１は、ダンパー４を全開位置に回動させるとともに、シロッコファン９の回転速度を弱に設定し、ヒータ６をＯＦＦにする。２４時間換気モードでは、本体ケース３内に導入される空気の風速が弱くなるという違いはあるが、上述した換気モードと同様の経路を経て空気が吸入・排出される。
【００６４】
＜乾燥モードおよび涼風モードの場合＞
ユーザーにより乾燥モードの設定が行われると、制御部４１は、図６（ｂ）に示すように、ダンパー４を半開位置に回動させるとともに、シロッコファン９の回転速度を強に設定し、ヒータ６をＯＮにする。シロッコファン９の回転速度が強に設定されると、シロッコファン９の回転に伴って吸入口３０より浴室内の空気が本体ケース３内に吸入される。
【００６５】
浴室内の空気が本体ケース３内に吸入されるとき、吸入口３０を通過した空気は、図４（ａ）に示すように、吸入孔５ａのベルマウス部６１の湾曲面６０に沿ってシロッコファン９へと導かれる。このとき、ベルマウス部６１の裏面にはリブ６３が形成されているので、湾曲面６０に沿ってシロッコファン９へと導かれた空気は、リブ６３によってベルマウス部６１の裏面側への流れを妨げられることとなり、渦の発生が抑制される。
【００６６】
さらに、ベルマウス部６１にはリブ６２が形成されているため、シロッコファン９の回転に伴ってベルマウス部６１の空間６０ｂを周方向へ巡るように流れる渦の発生を抑制することができる。このため、ベルマウス部６１の端部よりシロッコファン９へと流れ込む空気は、ベルマウス部６１の裏面に流れ込むことなくシロッコファン９の翼９ｂ側部へと導かれ、シロッコファン９を介して導通路２０へと導かれる（図４（ａ）の矢印Ｄ参照）。
【００６７】
このように、ベルマウス部６１の湾曲面６０に沿ってシロッコファン９へと導かれた空気が、空気の渦を生ずることなく円滑に導通路２０に導かれるため、バサバサ音等の騒音の発生を抑制させつつ空気を装置内部へと導入することが可能となる。
【００６８】
また、ベルマウス部６１が、ファンカバー５の表面より隆起して凸状を成す湾曲凸部となっているので、浴室内の空気を湾曲凸部の湾曲面６０に沿って吸入しやすくなり、さらに騒音の発生を低減させることが可能となる。
【００６９】
さらに、リブ６２およびリブ６３は、導通路２０の後側出口寄りの部分に設置されているため、流速が速い導通路２０の通路後側部分においても、効果的に騒音の発生を低減させることが可能となる。
【００７０】
シロッコファン９の翼９ｂの間を通って導通路２０へと案内された空気は、ダンパー収納部１３へと導かれる。
【００７１】
ダンパー収納部１３では、ダンパー４が半開位置に回動されているため、ダンパー収納部１３に導かれた空気は、ダンパー４の先端で上下に分流される。ダンパー４の上面４ｄ側へ流れた空気は、換気モードおよび２４時間換気の場合において既に説明したように、ダンパー４の上面４ｄに沿って排気口１６方向へと導かれる。
【００７２】
また、ダンパーの下面４ｅ側へ流れる空気は、暖房モードの場合において既に説明したように、ダンパー４の下面４ｅに沿ってヒータ６へと誘導される。
【００７３】
ヒータ６へと流れてきた空気は、ヒータ６により暖められて温風とされた後に、浴室へと吹き出される。このようにして、浴室空調装置１は、ヒータ６に導入された空気を暖めて浴室に循環させる。
【００７４】
なお、ユーザーによって涼風モードが選択された場合には、ヒータ６がＯＦＦに設定される以外、ダンパー４の回動位置およびシロッコファン９の回転速度の設定が乾燥モードと同様の設定となる。このため、涼風モードの選択がなされた場合であっても上述した乾燥モードと同様に、騒音の低減を図ることが可能となる。
【００７５】
このように、本発明に係る浴室空調装置１では、ベルマウス部６１の裏面にリブ６３が形成されているので、ベルマウス部６１の湾曲面６０に沿ってシロッコファン９へと導かれた空気は、リブ６３によってベルマウス部６１の裏面の空間へと入り込むことなくシロッコファン９へと導かれる。このため、ベルマウス部６１の裏面の空間６０ｂにおける渦の発生を抑制することが可能となる。
【００７６】
さらに、ベルマウス部６１にはリブ６２が形成されているため、シロッコファン９の回転に伴ってベルマウス部６１の裏面側の空間６０ｂを周方向へ巡るようにして流れる渦の発生を抑制することができる。
【００７７】
従って、ベルマウス部６１の端部よりシロッコファン９へと流れ込む空気は、ベルマウス部６１の裏面の空間６０ｂに流れ込むことなくシロッコファン９の翼９ｂ側部へと導かれ、シロッコファン９により導通路２０へと導かれる。ベルマウス部６１の湾曲面６０に沿ってシロッコファン９へと導かれた空気が、空気の渦を生ずることなく円滑に導通路２０に導かれるため、バサバサ音等の騒音の発生を抑制させつつ空気を装置内部へと導入することが可能となる。
【００７８】
特に、リブ６２およびリブ６３は、ベルマウス部６１の裏面であって導通路２０の出口側寄りの位置に設置されているので、空気が合流して流速が最も速くなり乱れが生じやすい位置にリブが設置されることとなり、より効果的に騒音の発生を低減させることが可能となる。
【００７９】
また、ベルマウス部６１が、ファンカバー５より表面より隆起して凸状を成す湾曲凸部となっているので、浴室内の空気を湾曲凸部の湾曲面６０に沿って吸入しやすくなり、さらに騒音の発生を低減させることが可能となる。
【００８０】
さらに、吸入手段としてシロッコファン９のような多翼ファンが用いられる場合には、ベルマウス部６１の裏側の空間に入り込んだ空気の渦がファンの翼９ｂの端部に衝突してバサバサ音を発生させやすいので、本発明に係る送風装置を用いることによってより顕著に騒音低減効果を奏することが可能である。
【００８１】
以上、浴室空調装置１の実施形態を、運転モード毎に場合分けをして説明したが、本発明に係る空調装置は上述した実施形態に限定されるものではない。いわゆる当業者であれば、特許請求の範囲に記載された範疇内において各種の変更例または修正例に想到し得ることは明らかであり、それらについても当然に本発明の技術的範囲に属するものと了解される。
【００８２】
例えば、上述した実施形態では、リブ６２を９個設置することとしたが、リブ６２の設置個数は９個に限定されるものではなく、９個未満であっても９個より多い場合であってもよい。また、リブ６２、６３を導通路２０の後側出口寄りの位置に設置することとしたがこの位置に限定されるものではなく、ベルマウス部６１の裏側の全体に形成したものでもよいし、他の部分のみに形成するようにしてもよい。
【００８３】
また、上述した実施形態では、仕切部材としてリブ６２、６３を形成する例を示して説明を行ったが、仕切部材はリブに限定されるものではなく、例えば、円柱状等の突起を多数形成するものでもよいし、仕切部材を格子状に形成するものでもよいし、さらに他の構成より形成されるものであってもよい。
【００８４】
さらに、上述した実施形態では、リブの厚みを０．５〜１．５として規定したが、この厚みも必ずしもこの数値に限定されるものではなく、厚みがもっと肉薄であっても肉厚であってもよい。
【００８５】
また、実施形態では、シロッコファン９がファンモータ８とともにユニット化されたファンユニット２を用いた場合について説明を行ったが、ファンは必ずしもユニット化されたものに限定されるものではなく、ファン、モータ等が別体に構成されるものであってもよい。さらに、実施形態では、送風用のファンとしてシロッコファンを用いた場合について説明を行ったが、ファンは必ずしもシロッコファンに限定されるものではなく、ラジアルファンのような多翼ファンを用いるものであってもよい。
【００８６】
また、上記実施形態では、１台のファンユニットを用いて空気の換気（循環）と排気とを行う空調装置を説明したが、換気用のファンユニットと排気用のファンユニットとの両方を備えた空調装置であっても、本発明に係る空調装置の構成を適用することによって、同様の効果を奏することが可能である。
【００８７】
さらに、上述した実施形態では浴室用空調装置についての説明を行ったが、本発明に係る送風装置は浴室用の空調装置に限定されるものではなく、浴室以外に用いられる空調装置であってもよい。
【図面の簡単な説明】
【００８８】
【図１】実施形態に係る浴室空調装置を示す斜視図である。
【図２】全閉の状態にダンパーが回動された浴室空調装置を示す側方断面図である。
【図３】実施形態に係る浴室空調装置のファンカバー表面を示した平面図である。
【図４】（ａ）は図３のａ−ａ断面を矢印方向から示した断面図であり、（ｂ）はファンカバーの裏面を示した裏面図である。
【図５】実施形態に係る浴室空調装置の制御機能を示したブロック図である。
【図６】全開の状態にダンパーが回動された浴室空調装置と半開の状態にダンパーが回動された浴室空調装置とを示す側方断面図である。
【符号の説明】
【００８９】
１     …浴室空調装置
２     …ファンユニット（吸入手段、多翼ファン）
３     …本体ケース
４     …ダンパー
４ａ   …（ダンパーの）軸
４ｂ   …（ダンパーの）リブ
４ｃ   …（リブの）ガイド孔
４ｄ   …（ダンパーの）上面
４ｅ   …（ダンパーの）下面
５     …ファンカバー（カバー部材）
５ａ   …吸入孔
５ｂ   …吹出孔
６     …ヒータ
７     …フロントパネル
８     …ファンモータ
８ａ   …回転軸
９     …シロッコファン
９ａ   …（シロッコファンの）主板
９ｂ   …（シロッコファンの）翼
９ｃ   …（シロッコファンの）外周側
１２   …ファン収納部
１２ｂ  …（ファン収納部の）側壁面
１３   …ダンパー収納部
１５   …吹出口
１６   …排気口
１８   …カム
１９   …（カムの）突起部
２０   …導通路
３０   …吸入口（吸気口）
３１   …フィルタ
３３   …天井面
５０   …操作パネル
５１   …制御部
５２   …カム駆動用モータ
６０   …（表面側）湾曲面
６０ａ  …（裏面側）湾曲面
６０ｂ  …空間
６１   …ベルマウス部（湾曲凸部）
６２、６３   …リブ（仕切部材）
６４   …舌状壁部
【図１】
0004760462.tif 000002
【図２】
0004760462.tif 000003
【図３】
0004760462.tif 000004
【図４】
0004760462.tif 000005
【図５】
0004760462.tif 000006
【図６】
0004760462.tif 000007